(57)【要約】【課題】ユーザがデータ登録を重複して登録することを回避する。【解決手段】健康に関する複数のデータ種を、各々の属性に基づいて複数のカテゴリに分類し、電子ファイルアップロード用画面、又は、データを手入力するための手入力画面をディスプレイに出力して、前記カテゴリごとにデータ登録を受付ける手段と、前記電子ファイルアップロード用画面からデータ登録を受付けた後、前記手入力画面をディスプレイに出力する際、前記手入力画面からデータ登録を受付ける前記データ種の中に、前記電子ファイルアップロード用画面からデータ登録を受付けた前記データ種が含まれる場合、前記電子ファイルアップロード用画面から受付けた当該データ種の登録データを、前記手入力画面の当該データ種の入力欄に入力して、ディプレイに出力する手段と、を有するデータ管理システム。【選択図】図９
2013020419.tif 000002
【特許請求の範囲】
【請求項１】
健康に関する複数のデータ種の登録データをユーザごとに管理するデータ管理システムであって、
前記複数のデータ種を、各々の属性に基づいて複数のカテゴリに分類し、データ登録を受付ける登録画面として、電子ファイルアップロード用画面、又は、データを手入力するための手入力画面をディスプレイに出力して、前記カテゴリごとにデータ登録を受付ける手段と、
前記電子ファイルアップロード用画面からデータ登録を受付けた後、前記手入力画面をディスプレイに出力する際、前記手入力画面からデータ登録を受付ける前記データ種の中に、前記電子ファイルアップロード用画面からデータ登録を受付けた前記データ種が含まれる場合、前記電子ファイルアップロード用画面から受付けた当該データ種の登録データを、前記手入力画面の当該データ種の入力欄に入力して、ディプレイに出力する手段と、
を有するデータ管理システム。
【請求項２】
健康に関する複数のデータ種の登録データをユーザごとに管理するデータ管理システムであって、
前記複数のデータ種を、各々の属性に基づいて複数のカテゴリに分類する分類ルールを保持する分類ルール保持手段と、
データ登録を受付ける登録画面のデータとして、電子ファイルアップロード用画面、及び、データを手入力するための手入力画面の画面データを保持する登録画面保持手段と、
カテゴリごとに、前記登録画面のいずれかをディスプレイに出力して、データ登録を受付けることができる登録受付手段と、
前記登録受付手段が受付けた登録データを記憶する登録データ記憶手段と、
を有し、
前記複数のデータ種の中には、複数のカテゴリに重複して分類される重複データ種が存在し、
前記電子ファイルアップロード用画面を利用して第１の前記カテゴリのデータ登録を受付けた後、前記手入力画面を利用して第２の前記カテゴリのデータ登録を受付ける場合、
前記登録受付手段は、前記第１のカテゴリ及び前記第２のカテゴリに重複して分類される前記重複データ種が存在しないか確認し、存在する場合には、前記第２のカテゴリのデータ登録を受付ける前記手入力画面における前記重複データ種のデータ入力欄に、前記第１のカテゴリの前記データ登録で前記電子ファイルアップロード用画面から受付けた前記重複データ種の登録データを入力して、前記手入力画面を出力するデータ管理システム。
【請求項３】
請求項２に記載のデータ管理システムにおいて、
前記登録受付手段は、前記データ登録を受付ける前に、受付ける登録データに関連付ける日付の入力を受付け、
前記第２のカテゴリのデータ登録を受付ける前記手入力画面を出力する前に、前記第１のカテゴリの登録データに関連付けられた日付と、前記第２のカテゴリの登録データを受付ける前に当該登録データに関連付ける日付として受付けた日付とが一致するか確認し、一致する場合は、前記第１のカテゴリ及び前記第２のカテゴリに重複して分類された前記重複データ種が存在しないか確認するデータ管理システム。
【請求項４】
健康に関する複数のデータ種の登録データをユーザごとに管理するデータ管理方法であって、
前記複数のデータ種を、各々の属性に基づいて複数のカテゴリに分類し、データ登録を受付ける登録画面として、電子ファイルアップロード用画面、又は、データを手入力するための手入力画面をディスプレイに出力して、前記カテゴリごとにデータ登録を受付けることができ、
前記電子ファイルアップロード用画面からデータ登録を受付けた後、前記手入力画面をディスプレイに出力する際、前記手入力画面からデータ登録を受付ける前記データ種の中に、前記電子ファイルアップロード用画面からデータ登録を受付けた前記データ種が含まれる場合、前記電子ファイルアップロード用画面から受付けた当該データ種の登録データを、前記手入力画面の当該データ種の入力欄に入力して、ディプレイに出力する処理をコンピュータが実行するデータ管理方法。
【請求項５】
健康に関する複数のデータ種の登録データをユーザごとに管理するためのプログラムであって、
コンピュータを、
前記複数のデータ種を、各々の属性に基づいて複数のカテゴリに分類する分類ルールを保持する分類ルール保持手段、
データ登録を受付ける登録画面のデータとして、電子ファイルアップロード用画面、及び、データを手入力するための手入力画面の画面データを保持する登録画面保持手段、
カテゴリごとに、前記登録画面のいずれかをディスプレイに出力して、データ登録を受付けることができる登録受付手段、
前記登録受付手段が受付けた登録データを記憶する登録データ記憶手段、
として機能させ、
前記分類ルールによれば、前記複数のデータ種の中に、複数のカテゴリに重複して分類される重複データ種が存在し、さらに、
前記電子ファイルアップロード用画面を利用して第１の前記カテゴリのデータ登録を受付けた後、前記手入力画面を利用して第２の前記カテゴリのデータ登録を受付ける場合、
前記登録受付手段に、前記第１のカテゴリ及び前記第２のカテゴリに重複して分類される前記重複データ種が存在しないか確認し、存在する場合には、前記第２のカテゴリのデータ登録を受付ける前記手入力画面における前記重複データ種のデータ入力欄に、前記第１のカテゴリの前記データ登録で前記電子ファイルアップロード用画面から受付けた前記重複データ種の登録データを入力して、前記手入力画面を出力する処理を実行させるプログラム。
【発明の詳細な説明】
【技術分野】
【０００１】
本発明は、データ管理システム、データ管理方法およびプログラムに関する。
【背景技術】
【０００２】
近年、各ユーザが自己の健康に関するデータを自身で管理するためのサービスが開発されている。健康に関するデータとしては、例えば、身長、体重、診察内容、診察費、処方された薬剤の情報等が考えられる。
【０００３】
例えば、ユーザは、病院で診察を受けた後、診察内容をデータ登録したり、または、自分で体重や歩数などを測定し、データ登録したりする。そして、ユーザは、好きなタイミングで、登録した自己の健康に関するデータを閲覧することができる。
【０００４】
特許文献１には、処方箋の画像イメージを入力する入力手段と、前記画像イメージに文字認識処理を施すことにより前記画像イメージから処方箋データを得るデータ処理部とを備えた処方箋受付装置が開示されている。当該装置において、前記データ処理部は、処方箋に含まれていることが予め判明している指定文字に係る処方箋内位置データを含んだテンプレート情報を保持しており、前記文字認識処理に際して、前記テンプレート情報に基づいて前記画像イメージの一部領域に前記指定文字の検出処理を施し、その検出結果に基づいて前記画像イメージに位置補正処理を施し、それから前記画像イメージの残部領域を処理する。また、前記データ処理部は、前記テンプレート情報を更新するに際して、前記画像イメージと前記テンプレート情報と前記指定文字の入力欄とを並べて画面表示し、該入力欄への文字入力に応じて前記指定文字を設定し、前記画像イメージの表示領域における部分領域の指定に応じて前記テンプレート情報の前記処方箋内位置データを設定する。
【先行技術文献】
【特許文献】
【０００５】
【特許文献１】特開２００７−１４０６３２号公報
【発明の概要】
【発明が解決しようとする課題】
【０００６】
上述のようなデータの登録手段としては、（１）健康に関するデータを記録した電子ファイルをアップロードする手段や、（２）入力ボックス、ドロップダウンメニュー、ラジオボタンなどを備えた入力画面（以下、「手入力画面」）から、健康に関するデータを手入力する手段が考えられる。（１）としては、例えば、ユーザが、診察を受けた病院から診察内容を記録した電子ファイルを受取り、当該電子ファイルを上記サービスにアップロードする場合が考えられる。（２）としては、例えば、ユーザが自分で体重、体温、歩数などを測定し、手入力画面から、測定結果を手入力する場合が考えられる。
【０００７】
上述のような２つの手段でデータ登録を行う場合、ユーザは、電子ファイルのアップロードにより既に登録したデータを、その後、手入力画面から重複して登録してしまうという不都合が生じる可能性がある。このような重複した登録は、ユーザによる登録作業の効率を低下させるものであり、回避するのが好ましい。特に、登録データの量が多い場合は、このような重複登録の回避により得られる作業効率向上の効果は顕著なものとなる。
【０００８】
そこで、本発明は、健康に関するデータの登録手段として、少なくとも、（１）健康に関するデータを記録した電子ファイルをアップロードする手段と、（２）入力ボックスなどを備えた手入力画面から、健康に関するデータを手入力する手段とを備えたシステムにおいて、ユーザが重複したデータ登録を回避できる手段を提供することを課題とする。
【課題を解決するための手段】
【０００９】
本発明によれば、健康に関する複数のデータ種の登録データをユーザごとに管理するデータ管理システムであって、前記複数のデータ種を、各々の属性に基づいて複数のカテゴリに分類し、データ登録を受付ける登録画面として、電子ファイルアップロード用画面、又は、データを手入力するための手入力画面をディスプレイに出力して、前記カテゴリごとにデータ登録を受付ける手段と、前記電子ファイルアップロード用画面からデータ登録を受付けた後、前記手入力画面をディスプレイに出力する際、前記手入力画面からデータ登録を受付ける前記データ種の中に、前記電子ファイルアップロード用画面からデータ登録を受付けた前記データ種が含まれる場合、前記電子ファイルアップロード用画面から受付けた当該データ種の登録データを、前記手入力画面の当該データ種の入力欄に入力して、ディプレイに出力する手段と、を有するデータ管理システムが提供される。
【００１０】
また、本発明によれば、健康に関する複数のデータ種の登録データをユーザごとに管理するデータ管理システムであって、前記複数のデータ種を、各々の属性に基づいて複数のカテゴリに分類する分類ルールを保持する分類ルール保持手段と、データ登録を受付ける登録画面のデータとして、電子ファイルアップロード用画面、及び、データを手入力するための手入力画面の画面データを保持する登録画面保持手段と、カテゴリごとに、前記登録画面のいずれかをディスプレイに出力して、データ登録を受付けることができる登録受付手段と、前記登録受付手段が受付けた登録データを記憶する登録データ記憶手段と、を有し、前記複数のデータ種の中には、複数のカテゴリに重複して分類される重複データ種が存在し、前記電子ファイルアップロード用画面を利用して第１の前記カテゴリのデータ登録を受付けた後、前記手入力画面を利用して第２の前記カテゴリのデータ登録を受付ける場合、前記登録受付手段は、前記第１のカテゴリ及び前記第２のカテゴリに重複して分類される前記重複データ種が存在しないか確認し、存在する場合には、前記第２のカテゴリのデータ登録を受付ける前記手入力画面における前記重複データ種のデータ入力欄に、前記第１のカテゴリの前記データ登録で前記電子ファイルアップロード用画面から受付けた前記重複データ種の登録データを入力して、前記手入力画面を出力するデータ管理システムが提供される。
【００１１】
また、本発明によれば、健康に関する複数のデータ種の登録データをユーザごとに管理するデータ管理方法であって、前記複数のデータ種を、各々の属性に基づいて複数のカテゴリに分類し、データ登録を受付ける登録画面として、電子ファイルアップロード用画面、又は、データを手入力するための手入力画面をディスプレイに出力して、前記カテゴリごとにデータ登録を受付けることができ、前記電子ファイルアップロード用画面からデータ登録を受付けた後、前記手入力画面をディスプレイに出力する際、前記手入力画面からデータ登録を受付ける前記データ種の中に、前記電子ファイルアップロード用画面からデータ登録を受付けた前記データ種が含まれる場合、前記電子ファイルアップロード用画面から受付けた当該データ種の登録データを、前記手入力画面の当該データ種の入力欄に入力して、ディプレイに出力する処理をコンピュータが実行するデータ管理方法が提供される。
【００１２】
また、本発明によれば、健康に関する複数のデータ種の登録データをユーザごとに管理するためのプログラムであって、コンピュータを、前記複数のデータ種を、各々の属性に基づいて複数のカテゴリに分類する分類ルールを保持する分類ルール保持手段、データ登録を受付ける登録画面のデータとして、電子ファイルアップロード用画面、及び、データを手入力するための手入力画面の画面データを保持する登録画面保持手段、カテゴリごとに、前記登録画面のいずれかをディスプレイに出力して、データ登録を受付けることができる登録受付手段、前記登録受付手段が受付けた登録データを記憶する登録データ記憶手段、として機能させ、前記分類ルールによれば、前記複数のデータ種の中に、複数のカテゴリに重複して分類される重複データ種が存在し、さらに、前記電子ファイルアップロード用画面を利用して第１の前記カテゴリのデータ登録を受付けた後、前記手入力画面を利用して第２の前記カテゴリのデータ登録を受付ける場合、前記登録受付手段に、前記第１のカテゴリ及び前記第２のカテゴリに重複して分類される前記重複データ種が存在しないか確認し、存在する場合には、前記第２のカテゴリのデータ登録を受付ける前記手入力画面における前記重複データ種のデータ入力欄に、前記第１のカテゴリの前記データ登録で前記電子ファイルアップロード用画面から受付けた前記重複データ種の登録データを入力して、前記手入力画面を出力する処理を実行させるプログラムが提供される。
【発明の効果】
【００１３】
本発明によれば、健康に関するデータの登録手段として、少なくとも、（１）健康に関するデータを記録した電子ファイルをアップロードする手段と、（２）入力ボックスなどを備えた手入力画面から、健康に関するデータを手入力する手段とを備えたシステムにおいて、ユーザは、重複した登録を回避することができる。
【図面の簡単な説明】
【００１４】
【図１】本実施形態のデータ管理システムの機能ブロック図の一例である。
【図２】データ種を所定数のカテゴリに分類する一例を模式的に示した図である。
【図３】電子ファイルアップロード用画面の一例である。
【図４】手入力画面の一例である。
【図５】登録データに関連付ける日付の指定を受付ける画面の一例である。
【図６】データ登録作業の際にディスプレイに出力される画面の一例である。
【図７】データ登録作業の際にディスプレイに出力される画面の一例である。
【図８】データ登録作業の際にディスプレイに出力される画面の一例である。
【図９】手入力画面の一例である。
【図１０】本実施形態のデータ管理方法の処理の流れの一例を示すフローチャートである。
【発明を実施するための形態】
【００１５】
以下、本発明の実施の形態について図面を用いて説明する。
【００１６】
なお、本実施形態の装置は、任意のコンピュータのＣＰＵ、メモリ、メモリにロードされたプログラム（あらかじめ装置を出荷する段階からメモリ内に格納されているプログラムのほか、ＣＤ等の記憶媒体やインターネット上のサーバ等からダウンロードされたプログラムも含む）、そのプログラムを格納するハードディスク等の記憶ユニット、ネットワーク接続用インタフェースを中心にハードウエアとソフトウエアの任意の組合せによって実現される。そして、その実現方法、装置にはいろいろな変形例があることは、当業者には理解されるところである。
【００１７】
また、本実施形態の説明において利用する機能ブロック図は、ハードウエア単位の構成ではなく、機能単位のブロックを示している。これらの図においては、各装置は１つの機器により実現されるよう記載されているが、その実現手段はこれに限定されない。すなわち、物理的に分かれた構成であっても、論理的に分かれた構成であっても構わない。
【００１８】
まず、本実施形態の概要について説明する。
【００１９】
本実施形態のデータ管理システムは、各ユーザから、各ユーザの健康に関するデータの登録を受付け、当該データ（電子データ）を記憶し、管理する。健康に関するデータの種類（以下、「データ種」）は、例えば、身長、体重、診察予定日、診察費、診察結果等が考えられる。
【００２０】
なお、データ管理システムは、以下のようにしてデータ登録を受付けることができる。
【００２１】
まず、データ管理システムは、複数のデータ種を、各々の属性に基づいて複数のカテゴリに分類する。この時、複数のカテゴリに分類されるデータ種が少なくとも１つ存在する。そして、データ管理システムは、データ登録を受付ける登録画面として、電子ファイルアップロード用画面、又は、データを手入力するための手入力画面をディスプレイに出力し、当該画面を介して、カテゴリごとにデータ登録を受付けることができる。
【００２２】
そして、データ管理システムは、電子ファイルアップロード用画面からデータ登録を受付けた後、手入力画面をディスプレイに出力する際、手入力画面からデータ登録を受付けるデータ種の中に、電子ファイルアップロード用画面からデータ登録を受付けたデータ種が含まれるか確認する。そして、含まれている場合、データ管理システムは、電子ファイルアップロード用画面から受付けた当該データ種の登録データを、手入力画面の当該データ種の入力欄に入力して、ディプレイに出力する。
【００２３】
このようなデータ管理システムによれば、ユーザは、電子ファイルのアップロードにより登録したデータを、その後、重複して、手入力により登録するという重複登録を回避することができる。
【００２４】
以下、このような本実施形態のデータ管理システムの詳細な構成について説明する。
【００２５】
本実施形態のデータ管理システムは、健康に関する複数のデータ種の登録データをユーザごとに管理する。図１は、本実施形態のデータ管理システム１の機能ブロック図の一例である。図１に示すように、本実施形態のデータ管理システム１は、分類ルール保持部１０と、登録画面保持部２０、登録受付部３０と、登録データ記憶部４０とを有する。以下、各部の構成について説明する。
【００２６】
分類ルール保持部１０は、複数のデータ種を、各々の属性に基づいて複数のカテゴリに分類する分類ルールを保持する。データ種の内容は様々であり、特段制限されない。データ種としては、例えば、身長、体重、体温、血圧、血糖値などの測定データ（生体データ）や、診察予定日、生体データの測定予定日、服薬予定日などの健康に関するスケジュールや、持病、過去の病気などの自己のプロフィールや、診察費、薬剤費、保険外治療費などの費用に関するデータや、診察結果、問診内容、処方された薬剤の種類及び量などの診察に関するデータや、処方された薬剤の服薬実施状況などが考えられる。
【００２７】
分類ルールは、このような複数のデータ種を、各々の属性に基づいて複数のカテゴリに分類するルールである。ここで、図２の概念図を用いて、分類ルールに従い、複数のデータ種が複数のカテゴリに分類される例を説明する。
【００２８】
図２の（Ａ）には、複数のデータ種が一覧表示されている。そして、図２の（Ｂ）には、複数のデータ種を５つのカテゴリに分類した状態が示されている。
【００２９】
（Ｂ）に示すカテゴリ「健康診断結果」には、健康診断で測定される様々なデータ種が分類される。カテゴリ「バイタル」には、様々な生体データのデータ種が分類される。カテゴリ「診察内容」には、診察を受けた病院から診察内容として受取る情報の中に含まれる様々なデータ種が分類される。カテゴリ「診察費明細」には、診察を受けた病院から受取る診察費の明細（例：診察費明細書）の中に含まれる様々なデータ種が分類される。カテゴリ「糖尿病管理」には、糖尿病に関係する様々なデータ種が分類される。分類ルールは、例えば、各カテゴリと、各カテゴリに分類されるデータ種を予め対応付けたものであってもよい。
【００３０】
なお、図２に示すカテゴリおよび各カテゴリに含まれるデータ種の例示はあくまで一例であり、これに限定されない。例えば、分類ルールで特定されるカテゴリの中にはその他のカテゴリが含まれてもよいし、上記例示したカテゴリの中の１つ以上を含まなくてもよい。また、カテゴリの数は設計的事項である。
【００３１】
ここで、本実施形態の場合、複数のデータ種の中には、複数のカテゴリに重複して分類される重複データ種が存在する。例えば、図２の例の場合、データ種「体重」は、カテゴリ「健康診断結果」、「バイタル」、「診察内容」及び「糖尿病管理」に重複して分類されている。すなわち、データ種「体重」は、重複データ種に該当する。
【００３２】
図１に戻り、登録画面保持部２０は、データ登録を受付ける登録画面のデータとして、電子ファイルアップロード用画面、及び、データを手入力するための手入力画面の画面データを保持する。なお、登録画面保持部２０は、その他の登録画面の画面データを保持してもよい。
【００３３】
図３に、電子ファイルアップロード用画面の一例を示す。また、図４に、手入力画面の一例を示す。電子ファイルアップロード用画面とは、健康に関するデータを記録した電子ファイルをアップロードする（データ登録する）支援を行う画面である。手入力画面とは、入力ボックス、ドロップダウンメニュー、ラジオボタンなどを備え、キーボードやタッチパネルディスプレイなどの入力装置を介したユーザの手作業により、データの入力を受付ける画面である。
【００３４】
なお、手入力画面は、カテゴリごとに異なったものとなる。すなわち、図４に示す手入力画面は、カテゴリ「バイタル」専用の手入力画面であり、その他のカテゴリの手入力画面は、異なった態様となる。登録画面保持部２０は、分類ルールで特定されるすべてのカテゴリ各々の手入力画面データを保持してもよいし、一部のカテゴリのみの手入力画面データを保持してもよい。例えば、電子ファイルのアップロードのみでデータ登録され、手入力でデータ登録されることはないカテゴリが存在する場合には、登録画面保持部２０は、当該カテゴリの手入力画面データを保持しなくてもよい。
【００３５】
登録受付部３０は、カテゴリごとに、電子ファイルアップロード用画面及び手入力画面のいずれかをディスプレイに出力して、データ登録を受付けることができる。なお、登録画面保持部２０が、その他の登録画面の画面データを保持する場合は、登録受付部３０は、その他の登録画面をディスプレイに出力して、データ登録を受付けてもよい。
【００３６】
ここで、登録受付部３０は、電子ファイルアップロード用画面を利用して第１のカテゴリのデータ登録を受付けた後、手入力画面を利用して第２のカテゴリのデータ登録を受付ける場合、以下のような処理を行う。
【００３７】
まず、登録受付部３０は、第１のカテゴリのデータ登録を受付けた後、第２のカテゴリの手入力画面をディスプレイに出力する前に、第１のカテゴリ及び第２のカテゴリに重複して分類される重複データ種が存在しないか確認する。そして、重複データ種が存在する場合、登録受付部３０は、第１のカテゴリのデータ登録で受付けた登録データの中から、重複データ種の登録データを取得する。そして、第２のカテゴリのデータ登録を受付ける手入力画面をディスプレイに出力する際、当該手入力画面における重複データ種の入力欄に、第１のカテゴリの登録データから取得した重複データ種の登録データを入力して出力する。
【００３８】
以下、図面を用いて当該処理の具体的な一例を説明する。
【００３９】
まず、登録受付部３０は、データ登録を受付ける前に、図５に示すような画面をディスプレイに出力し、受付ける登録データに関連付ける日付の入力を受付けてもよい。関連付ける日付は、例えば、測定日や、診療日など、登録データに関係する日付とすることができる。
【００４０】
日付の入力を受付けた後、登録受付部３０は、電子ファイルアップロード用画面をディスプレイに表示させる指示入力をユーザから受付けると、図３に示すような、電子ファイルアップロード用画面をディスプレイに出力する。そして、登録受付部３０は、ユーザから当該画面を介して、アップロードする電子ファイルを選択する入力、及び、選択した所定の電子ファイルをアップロードする入力を受付ける。その後、登録受付部３０は、アップロードされた電子ファイルで登録されたデータのカテゴリ（健康診断結果、診察内容など）を特定する。特定の手段としては、例えば、電子ファイルに記録されている内容を解析することで特定してもよいし、又は、電子ファイルのアップロードの前又は後に、ユーザから、当該電子ファイルに記録されているデータのカテゴリを指定する入力を受付けることで特定してもよい。ここでは、「健康診断結果」に関するデータを記録した電子ファイルがアップロードされ、登録受付部３０は、「健康診断結果」を特定したものとする。
【００４１】
図３に示す画面から電子ファイルのアップロードを受付けた後、登録受付部３０は、例えば図６に示すような画面をディスプレイに出力し、続けてデータ登録するか否かをユーザに確認する。そして、「はい」の入力を受付けると、登録受付部３０は、図７に示すような画面をディスプレイに出力し、「電子ファイルをアップロード」および「手入力」のいずれでデータ登録を行うか、ユーザに確認する。
【００４２】
図７に示す画面において「電子ファイルをアップロード」の入力を受付けた場合、登録受付部３０は、図３に示すような、電子ファイルアップロード用画面をディスプレイに再び出力する。そして、上記と同様の処理を行う。一方、「手入力」の入力を受付けた場合、登録受付部３０は、図８に示すような画面をディスプレイに出力し、データ登録するカテゴリの指定を受付ける。ここでは、登録受付部３０は、「バイタル」の指定を受付けたものとする。
【００４３】
すると、登録受付部３０は、まず、図３に示す電子ファイルアップロード用画面からデータ登録を受付けたカテゴリである「健康診断結果」と、図８に示す画面で指定されたカテゴリである「バイタル」とに重複して分類される重複データ種がないか確認する。登録受付部３０は、分類ルール保持部１０が保持する分類ルールを用いて、重複データ種の有無を確認することができる。ここでは、図２に示す例に基づき、「身長」と「体重」が重複データ種に該当したとする。すると、登録受付部３０は、「健康診断結果」の登録データとして、図３に示す電子ファイルアップロード用画面から受付けた登録データの中から、重複データ種「身長」及び「体重」の登録データを取得する。
【００４４】
その後、登録受付部３０は、「バイタル」のデータ登録を受付ける手入力画面をディスプレイに出力する際、図９に示すように、当該手入力画面における重複データ種（身長、体重）の入力欄に、「健康診断結果」の登録データから取得した当該データ種の登録データを入力して出力する。
【００４５】
ここで、上記具体例の変形例として、以下のようなものが考えられる。上記具体例の場合、続けてデータ登録した「バイタル」の登録データには、電子ファイルのアップロードの前に図５に示す画面で指定された日付が関連付けられこととなる。この変形例として、図６に示す画面で、続けてデータ登録を行う入力（「はい」）を受付けた後、再度図５に示す画面を出力し、これから登録するデータに関連付ける日付を指定する入力を受付けてもよい。そして、受付けた日付と、その前に電子ファイルのアップロードで登録されたデータに関連付けられた日付とが同一である場合に、登録受付部３０は、上記「重複データ種の有無の確認」以降の処理を行ってもよい。
【００４６】
また、その他の変形例として、例えば、電子ファイルアップロード用画面から、データ種として「処方された薬剤の種類」、「量」などが分類されるカテゴリ「薬剤情報」のデータ登録を受付けた後、データ種として「処方された薬剤の種類」、「服薬実施状況」などが分類されるカテゴリ「薬剤の服薬実施状況」の手入力画面をディスプレイに出力する場合を考える。かかる場合、登録受付部３０は、上記手入力画面をディスプレイに出力する際、当該手入力画面におけるデータ種「処方された薬剤の種類」を入力する欄に、上記電子ファイルのアップロードでデータ登録を受付けたカテゴリ「薬剤情報」の登録データから取得したデータ種「処方された薬剤の種類」の登録データを入力して、ディスプレイに出力してもよい。
【００４７】
また、上記具体例では、登録受付部３０は、電子ファイルアップロード用画面を利用して第１のカテゴリのデータ登録を受付けた後、「連続的に」、手入力画面を利用して第２のカテゴリのデータ登録を受付ける場合に、上記「重複データ種の有無を確認する処理」以降の処理を実行する例を示した。この変形例として、登録受付部３０は、電子ファイルアップロード用画面を利用して第１のカテゴリのデータ登録を受付けた後、「所定時間（設計的事項：３０秒、１分、１０分、３０分、１時間、１日など）以内に」、手入力画面を利用して第２のカテゴリのデータ登録を受付ける場合に、上記「重複データ種の有無を確認する処理」以降の処理を実行してもよい。
【００４８】
なお、上記処理の具体的な一例はあくまで一例であり、登録受付部３０は、「電子ファイルアップロード用画面を利用して第１のカテゴリのデータ登録を受付けた後、手入力画面を利用して第２のカテゴリのデータ登録を受付ける」こととなるあらゆる場面において、上記「重複データ種の有無を確認する処理」以降の処理を実行することができる。
【００４９】
図１に戻り、登録データ記憶部４０は、登録受付部３０が受付けた登録データを記憶する。
【００５０】
以上説明した本実施形態のデータ管理システム１は、例えば、以下のプログラムをコンピュータにインストールすることで実現することができる。
【００５１】
健康に関する複数のデータ種の登録データをユーザごとに管理するためのプログラムであって、
コンピュータを、
前記複数のデータ種を、各々の属性に基づいて複数のカテゴリに分類する分類ルールを保持する分類ルール保持手段、
データ登録を受付ける登録画面のデータとして、電子ファイルアップロード用画面、及び、データを手入力するための手入力画面の画面データを保持する登録画面保持手段、
カテゴリごとに、前記登録画面のいずれかをディスプレイに出力して、データ登録を受付けることができる登録受付手段、
前記登録受付手段が受付けた登録データを記憶する登録データ記憶手段、
として機能させ、
前記分類ルールによれば、前記複数のデータ種の中に、複数のカテゴリに重複して分類される重複データ種が存在し、さらに、
前記電子ファイルアップロード用画面を利用して第１の前記カテゴリのデータ登録を受付けた後、前記手入力画面を利用して第２の前記カテゴリのデータ登録を受付ける場合、
前記登録受付手段に、前記第１のカテゴリ及び前記第２のカテゴリに重複して分類される前記重複データ種が存在しないか確認し、存在する場合には、前記第２のカテゴリのデータ登録を受付ける前記手入力画面における前記重複データ種のデータ入力欄に、前記第１のカテゴリの前記データ登録で前記電子ファイルアップロード用画面から受付けた前記重複データ種の登録データを入力して、前記手入力画面を出力する処理を実行させるプログラム。
【００５２】
次に、本実施形態のデータ管理方法について説明する。ここでは、電子ファイルアップロード用画面を利用して第１のカテゴリのデータ登録を受付けた後、手入力画面を利用して第２のカテゴリのデータ登録を受付ける処理の流れについて説明する。図１０は、当該処理の流れの一例を示すフローチャートである。なお、これらの処理は、本実施形態のデータ管理システム１を用いて実現することができる。
【００５３】
まず、データ管理システム１が、ユーザから、電子ファイルアップロード用画面をディスプレイに出力する指示入力を受付けると（Ｓ１０）、登録受付部３０は、例えば図３に示すような電子ファイルアップロード用画面を、ディスプレイに出力する（Ｓ２０）。そして、登録受付部３０は、ユーザから当該画面を介して、アップロードする電子ファイルを選択する入力、及び、選択した所定の電子ファイルをアップロードする入力を受付ける（Ｓ３０）。Ｓ３０でアップロードされた電子ファイルに記録された登録データは、登録データ記憶部４０に記憶される。その後、登録受付部３０は、アップロードされた電子ファイルで登録されたデータのカテゴリ（第１のカテゴリ）を特定する。
【００５４】
Ｓ３０の後、データ管理システム１が、ユーザから、第２のカテゴリの手入力画面をディスプレイに出力する指示入力を受付けると（Ｓ４０）、登録受付部３０は、第１のカテゴリと第２のカテゴリに重複して分類される重複データ種がないか確認する。当該確認処理は、例えば、分類ルール保持部１０が保持する分類ルールを利用して実現することができる。
【００５５】
重複データ種がある場合（Ｓ５０のＹｅｓ）、登録受付部３０は、Ｓ３０でアップロードされた電子ファイルに記録された重複データ種の登録データを取得する。そして、第２のカテゴリの手入力画面をディスプレイに出力する際、当該手入力画面における重複データ種の入力欄に、上記電子ファイルから取得した重複データ種の登録データを入力して、手入力画面をディスプレイに出力する（Ｓ８０）。
【００５６】
一方、重複データ種がない場合は（Ｓ５０のＮｏ）、登録受付部３０は、第２のカテゴリの手入力画面を、そのままディスプレイに出力する（Ｓ６０）。
【００５７】
Ｓ６０及びＳ８０の後、登録受付部３０は、ユーザから当該手入力画面を介して、第２のカテゴリに分類されるデータ種のデータ登録を受付ける（Ｓ７０）。
【００５８】
以上説明した本実施形態のデータ管理システム１、データ管理方法及びプログラムによれば、以下のような作用効果が実現される。
【００５９】
本実施形態によれば、電子ファイルアップロード用画面からデータ登録を受付けた後、手入力画面をディスプレイに出力する際、手入力画面からデータ登録を受付けるデータ種の中に、電子ファイルアップロード用画面からデータ登録を受付けたデータ種が含まれる場合、電子ファイルアップロード用画面から受付けた当該データ種の登録データを、手入力画面の当該データ種の入力欄に入力して、ディプレイに出力することができる。
【００６０】
このような本実施形態によれば、ユーザは、電子ファイルで登録したデータを、その後重ねて、手入力画面から入力するという重複した登録を回避することができる。結果、ユーザによるデータ登録の作業効率を向上させることができ、当該サービスの利用者数を増加させる効果が期待される。
【符号の説明】
【００６１】
１    データ管理システム
１０  分類ルール保持部
２０  登録画面保持部
３０  登録受付部
４０  登録データ記憶部
【図１】
2013020419.tif 000003
【図２】
2013020419.tif 000004
【図３】
2013020419.tif 000005
【図４】
2013020419.tif 000006
【図５】
2013020419.tif 000007
【図６】
2013020419.tif 000008
【図７】
2013020419.tif 000009
【図８】
2013020419.tif 000010
【図９】
2013020419.tif 000011
【図１０】
2013020419.tif 000012